(57)【要約】      （修正有）【課題】使用者は容易に省力で時間短く迅速に、地面又はカーペットの掃除や洗浄の複数の用途に使用可能な電動掃除洗浄装置を提供する。【解決手段】掃除、洗浄ブラシユニット１００ａ及び水収集処理部２００を含む電動掃除洗浄装置１０００である。掃除洗浄ブラシユニット１００ａは、本体１１０と、地面掃除用回転ブラシ１６０ａと、集塵室と、拭取洗浄用吸水性回転ブラシ１２０ａと、ノズルと、吸水ドクターブレードを備える。水収集処理部２００は、清水タンク２２０と汚水タンク２３０に区切りする水貯蓄タンクと、噴水チャネル２４１と、吸水チャネル２４２と、吸塵チャネル２４３と、清水を清水タンク２２０からノズルに加圧して輸送する噴水駆動モータ２５０と、汚水を吸水ドクターブレードから汚水タンクに吸引する吸気駆動モータ２６０とを備える。【選択図】図１
0003186168.tif 000002
【実用新案登録請求の範囲】
【請求項１】
地面又はカーペットの掃除洗浄に用いられる、掃除洗浄ブラシユニット及び水収集処理部を備えた電動掃除洗浄装置であって、
前記掃除洗浄ブラシユニットが、
開口部が地面へ向かって開いているか、又は開口部の前方が集塵室の入口へ正しく向かって開いている掃除洗浄ブラシユニット前区部と、開口部が地面へ向かって開いている掃除洗浄ブラシユニット後区部との間に設けられた仕切り板を有する本体と、
前記掃除洗浄ブラシユニット前区部に設置される地面掃除用回転ブラシと、
前記本体に設置され、且つ前記掃除洗浄ブラシユニット前区部及び前記掃除洗浄ブラシユニット後区部の間に位置する補助ローラーと、
前記掃除洗浄ブラシユニット後区部内に設置され、且つ掃除洗浄ブラシユニット駆動モータの駆動により回転する拭取洗浄用吸水性回転ブラシと、
前記掃除洗浄ブラシユニット後区部内に設けられる拭取洗浄用吸水性回転ブラシの上側面に設置され、且つ前記拭取洗浄用吸水性回転ブラシへ噴水するノズルと、
前記掃除洗浄ブラシユニット後区部内に設けられる拭取洗浄用吸水性回転ブラシの他側の面に設置され、且つ前記拭取洗浄用吸水性回転ブラシで吸収された水を除去する吸水ドクターブレードと、を備えており、
前記水収集処理部が、
コンテナと、前記コンテナ内に設置されると共に未だ使用されない清水を収容する清水タンクと、前記コンテナ内に設置されると共に汚水を収容する汚水タンクと、噴水チャネル、吸水チャネル及び吸塵チャネルを有するチューブ体と、前記コンテナに設置されると共に、未だ使用されない清水を前記清水タンクから前記噴水チャネルを介して前記ノズルに加圧して輸送する噴水駆動モータと、前記コンテナに設置されると共に、汚水タンクを真空にバキューミングすることにより、既に使用された汚水を前記吸水ドクターブレードから前記吸水チャネルを介して前記汚水タンクに吸引する吸気駆動モータと、を備えており、且つ前記地面掃除用回転ブラシ及び前記拭取洗浄用吸水性回転ブラシが、それぞれ掃除洗浄ブラシユニット駆動モータの駆動により回転されており、
前記噴水チャネルが、前記噴水駆動モータを介して前記ノズルと前記清水タンクとを接続しており、
前記吸水チャネルが、前記吸水ドクターブレードと前記汚水タンクを接続しており、前記吸塵チャネルが前記掃除洗浄ブラシユニット前区部と前記吸水チャネルを接続しており、並びにゴミ及び塵埃を前記掃除洗浄ブラシユニット前区部から、前記吸塵チャネルと前記吸水チャネルを介して前記汚水タンクに吸引することを特徴する電動掃除洗浄装置。
【請求項２】
前記コンテナが、更に複数の移動ローラーを底部に有する請求項１に記載の電動掃除洗浄装置。
【請求項３】
地面又はカーペットの掃除洗浄に用いられる電動掃除洗浄装置であって、
本体と、
前記本体の下方の中央に設置されると共に、前記本体下方の中央に設置され、且つ開口部が地面及び集塵室の入口へ向かって開いている掃除洗浄ブラシユニット前区部を有する前記掃除洗浄ブラシユニットと、
前記本体の下方と地面掃除用回転ブラシの後方に設置されると共に、開口部が地面へ向かって開いている掃除洗浄ブラシユニット後区部と、
前記掃除洗浄ブラシユニット前区部内に設置されると共に、掃除洗浄ブラシユニット駆動モータの駆動により回転する地面掃除用回転ブラシと、
前記本体内の前方に設置され、且つ入口が前記地面掃除用回転ブラシに向かって塵埃を吸収する集塵室と、
前記掃除洗浄ブラシユニット後区部内に設置されると共に、前記掃除洗浄ブラシユニット駆動モータの駆動により回転する拭取洗浄用吸水性回転ブラシと、
前記掃除洗浄ブラシユニット後区部内における拭取洗浄用吸水性回転ブラシの上方に設置されると共に、前記拭取洗浄用吸水性回転ブラシに向かって噴水するノズルと、
前記掃除洗浄ブラシユニット後区部内における拭取洗浄用吸水性回転ブラシの一側に設置されると共に、前記拭取洗浄用吸水性回転ブラシに向かって水を吸引する吸水ドクターブレードと、
前記本体に設置される水収集処理部と、を備え、
前記水収集処理部が、前記本体に設置されると共に、未だ使用しない清水を収容する清水タンクと、既に使用された汚水を収容する汚水タンクと、噴水駆動モータを介して前記ノズルと前記清水タンクを接続する噴水チャネルと、前記吸水ドクターブレードと前記汚水タンクを接続する吸水チャネルと、前記集塵室と前記吸水チャネルを接続する吸塵チャネルと、前記本体に設置されると共に、未だ使用しない清水を前記噴水駆動モータで前記清水タンクから、清水管を介して前記ノズルに加圧して輸送する噴水駆動モータと、
前記本体に設置されると共に、前記コンテナに設置され、且つ汚水タンクを真空にすることにより、既に使用された汚水を前記吸水ドクターブレードから前記吸水チャネルを介して前記汚水タンクに吸引する吸気駆動モータと、前記本体の底部に設置される一つのガイドローラー及び二つの伝動ローラーを備えることを特徴とする電動掃除洗浄装置。
【請求項４】
窓のクリーニングに用いられる、洗浄ブラシユニットと水収集処理部とを備える電動掃除洗浄装置であって、
前記洗浄ブラシユニットが、開口部が窓へ向かって開いている洗浄ブラシユニット胴体を有する本体と、前記洗浄ブラシユニット胴体に設置されると共に、洗浄ブラシユニット駆動モータの駆動により回転する拭取洗浄用吸水性回転ブラシと、前記洗浄ブラシユニット胴体内における拭取洗浄用吸水性回転ブラシの一側の面に設置されると共に、前記拭取洗浄用吸水性回転ブラシに向かって噴水するノズルと、前記洗浄ブラシユニット胴体内における拭取洗浄用吸水性回転ブラシの他側の面に設置されると共に、前記拭取洗浄用吸水性回転ブラシに向かって吸水する吸水ドクターブレードと、前記開口部の頂部に設置される刮水ドクターブレードとを備え、
前記水収集処理部が、その内に未だ使用しない清水を収容する清水タンクと、既に使用された汚水を収容する汚水タンクとを設置して有するコンテナと、
その内部が噴水チャネルと吸水チャネルに区切りされるチューブ体と、前記コンテナに設置されると共に、未だ使用しない清水を前記清水タンクから前記ノズル加圧して輸送する噴水駆動モータと、前記コンテナに設置されると共に、汚水タンクを真空にすることにより、使用された汚水を前記吸水ドクターブレードから、前記吸水チャネルを介して前記汚水タンクに吸引する吸気駆動モータとを備え、
前記噴水チャネルが、噴水駆動モータを介して前記ノズルと前記清水タンクとを接続しており、前記吸水チャネルが前記吸水装置と、真空にされた前記汚水タンクとを接続していることを特徴する電動掃除洗浄装置。
【請求項５】
前記コンテナが、更に複数の移動ローラーを底部に有する請求項４に記載の電動掃除洗浄装置。
【考案の詳細な説明】
【技術分野】
【０００１】
本考案は、地面の掃除及び洗浄を一回の操作で完了することができる清洗装置、又は窓ガラスの洗浄に用いられる電気掃除装置に関する。特に、地面又はカーペット上のゴミを掃除すると共に、地面又はカーペット上の汚れを拭き取り洗浄することができるだけでなく、窓をクリーンに洗浄することもできる電動掃除洗浄装置に関する。
【背景技術】
【０００２】
近年、科学技術が進歩していくにつれて、室内の清潔のために、自動化清潔機器で地面をクリーニングするものが広く普及している。これに伴って、人がいない場合であっても、塵埃掃除及び地面洗浄の機能を有するロボット掃除機の利用により、ロジック制御手段を介して、掃除しようとする特定の箇所をクリーニングすることが可能になっている。
【０００３】
従来、自動化清潔機器は、概して地面掃除機及び地面洗浄機に分けられている。地面掃除機は、地面上のゴミや塵埃を掃除吸引で除去することができるが、地面又はカーペット上の微細な塵埃や汚れを除去することができない。このため、更に地面洗浄機を利用して、微細な塵埃又は汚れを除去することが必要となる。
しかしながら、現在の技術において、自動化地面洗浄機は、地面上に洗浄液又は洗浄水を事前にスプレーし、地面をブラシローラーで洗浄し、ブラシローラーの後方に設けられたドクターブレードで地面上の汚水を吸水することで、地面洗浄を行うものである。但し、上述の清潔な過程において、汚水が地面に残っていた場合には、その汚水が乾燥すると、地面はやはり汚くなる。また、汚水が地面で吸収されたり、又は地面の隙間に侵入する場合もある。ましてや、現在のロボット地面洗浄機では、地面上の汚水に対して、僅かに全量の５０％を除去できるだけであり、他の５０％の汚水が地面上に残っているので、地面を完全にクリーニングすることができない。特に、カーペットを敷いている地面に対しては、吸水性であるカーペットに水をスプレーしてはならないので、一つのロボット地面洗浄機では、地面の洗浄及び汚れの除去を一緒に達成することができない。
【０００４】
したがって、使用者が容易に省力で時間短く迅速に使用することが可能な、値段が安くコンパクトで複数の用途に用いられる洗浄機能付き掃除装置が要求されている。例えば、地面掃除、地面洗浄、及び地面上又はカーペットの汚れの除去を一回の操作で達成できる三機能型電動掃除洗浄装置、又はブラシユニットの取替えで窓のクリーニングも可能になる洗浄機能付き掃除装置の提供が強く期待されている。
本考案は、技術特定事項として、汚水が地面に落ちることなく、更に汚水を地面又はカーペット上に残っていないことを実現できる電動掃除洗浄装置を提供する。
次に、このような技術特定事項を具備する本考案に係る電動掃除洗浄装置を、以下の通り詳しく説明する。
【０００５】
窓、地面又はカーペットをクリーンに洗浄する器具において、現在市販されている器具は、使用者が使用上不便を感じると批判されている。例えば、時間や体力が掛かり過ぎるとか、その他の単一機能型機器を併せて利用する必要があるので、非常に不便であるという問題が残っている。
【考案の概要】
【考案が解決しようとする課題】
【０００６】
本考案の一つの目的は、使用者は容易に省力で時間短く迅速に、地板又はカーペットの掃除や洗浄の複数の用途に使用可能な電動掃除洗浄装置を提供することにある。それに、前記電動掃除洗浄装置は、地面及びカーペット上のゴミを掃除すると同時に、地板やカーペット上の汚れ、微細な塵埃をクリーニングできるものである。
また、ブラシユニットの取替えのような簡単な変更により、本考案に係る電動掃除洗浄装置を窓洗浄機として使用することが可能である。
更に、本考案に係る電動掃除洗浄装置を使用する際に、汚水が地面に落ちることもないというメリットを有する。
【課題を解決するための手段】
【０００７】
上述の目的及びその他の目的を達成するため、本考案は、更に、地面又はカーペットの掃除洗浄に用いられる電動掃除洗浄装置であって、掃除洗浄ブラシユニット及び水収集処理部を備える電動掃除洗浄装置を提供する。
前記掃除洗浄ブラシユニットは、開口部が地面へ向かって開いている掃除洗浄ブラシユニット前区部と、開口部が地面へ向かって開いている掃除洗浄ブラシユニット後区部を区切りする仕切り板を有する本体と、前記掃除洗浄ブラシユニット前区部内に設置されると共に、掃除洗浄ブラシユニット駆動モータの駆動により回転する地面掃除用回転ブラシと、前記本体に設置され、且つ前記掃除洗浄ブラシユニット前区部と前記掃除洗浄ブラシユニット後区部の間に位置する補助ローラーと、前記掃除洗浄ブラシユニット後区部内に設置されると共に、前記掃除洗浄ブラシユニット駆動モータの駆動により回転する拭取洗浄用吸水性回転ブラシと、前記掃除洗浄ブラシユニット後区部における拭取洗浄用吸水性回転ブラシの上方に設置されると共に、前記拭取洗浄用吸水性回転ブラシに向かって噴水することで、掃除した拭取洗浄用吸水性回転ブラシでの汚れをリンスして除去するノズルと、前記掃除洗浄ブラシユニット後区部内における拭取洗浄用吸水性回転ブラシの他側の面に設置される吸水ドクターブレードとを備える。
【０００８】
また、前記吸水ドクターブレードが、前記拭取洗浄用吸水性回転ブラシ表面を深く押すことで、リンスした前記拭取洗浄用吸水性回転ブラシでの汚水と微細な塵埃を吸収することができると共に、これにより、前記拭取洗浄用吸水性回転ブラシが、清潔及び湿潤な状態で、引き続いて地面上の微細な塵埃及び汚れ、又はカーペット上の塵埃及び汚れを繰り返して拭き取り洗浄できる状態に維持される。
【０００９】
前記吸水ドクターブレードの両端には、クッション素子を設けている。前記クッション素子は、スプリング又は他の同等機能の構造であればよい。
なお、前記クッション素子は、本考案の重要な構造でないから、ここではその詳細な説明を省略する。前記拭取洗浄用吸水性回転ブラシが回転する際に、前記クッション素子の使用で、前記吸水ドクターブレードと前記拭取洗浄用吸水性回転ブラシとの間の密接度を調整することができ、これにより、前記拭取洗浄用吸水性回転ブラシを順調に回転することができるだけでなく、水収集の機能を発揮することも可能になる。
【００１０】
前記水収集処理部はコンテナと、前記コンテナ内に設置されると共に、未だ使用しない清水を収容する清水タンクと、前記コンテナ内に設置されると共に、使用された汚水を収容する汚水タンクと、その内部を吸水チャネルと吸塵チャネルに区切りするチューブ体と、前記コンテナに設置されると共に、未だ使用しない清水を前記清水タンクから、前記噴水チャネルを介して前記ノズルに加圧して輸送する噴水駆動モータと、前記コンテナに設置されると共に、汚水タンクを真空にバキューミングすることにより、使用された汚水を前記吸水ドクターブレードから、前記吸水チャネルを介して前記汚水タンク内に吸引し、並びに塵埃及びゴミを前記掃除洗浄ブラシユニット前区部から、前記吸塵チャネルと前記吸水チャネルを介して前記汚水タンクに吸引する吸気駆動モータとを備えており、且つ前記噴水チャネルは前記ノズルと前記清水タンクを接続しており、前記吸水チャネルは前記吸水ドクターブレードと前記汚水タンクを接続しており、前記吸塵チャネルは前記掃除洗浄ブラシユニット前区部と前記吸水チャネルを接続している。
【００１１】
上述の電動掃除洗浄装置において、前記コンテナは、更に複数の移動ローラーを底部に有する。
その他、本考案は、ゴミの掃除及び地面又はカーペット上の微細な塵埃汚れの洗浄を一緒に完了し得る自動式地面掃除洗浄機装置であって、地面又はカーペットの掃除洗浄、及び、地面とカーペット上のゴミの除去をするだけでなく、地面上又はカーペット上の微細な塵埃と汚れを洗浄することができる自動式電動掃除洗浄装置を更に提供する。
前記自動式電動掃除洗浄装置は、本体と、掃除洗浄ブラシユニットと、水収集処理部及び複数の移動ローラーを備える。これにより、前記本体を移動して地面のゴミを掃除する際に、地面の掃除洗浄又はカーペット上の汚れの除去を一緒に機能することができるので、清潔作業の完璧性を確保することが可能になる。
【００１２】
前記掃除洗浄ブラシユニットは、前記本体の下方に設置される。また、前記掃除洗浄ブラシユニットは、掃除洗浄ブラシユニット前区部を有するものである。前記掃除洗浄ブラシユニット前区部の開口部が、地面及び前記集塵室の入口へ向かって開いている。前記掃除洗浄ブラシユニット後区部の開口部が地面へ向かって開いている。地面掃除用回転ブラシは、前記掃除洗浄ブラシユニット前区部内に設置される。前記地面掃除用回転ブラシは、掃除洗浄ブラシユニット駆動モータの駆動により回転する。集塵室は前記本体前区部に設置される。また、前記集塵室は、地面掃除用回転ブラシで掃除したゴミ及び塵埃を前記集塵室内に吸い込むことで掃除作業を完成する。拭取洗浄用吸水性回転ブラシは、前記掃除洗浄ブラシユニット後区部内に設置される。
また、前記拭取洗浄用吸水性回転ブラシは、前記掃除洗浄ブラシユニット駆動モータの駆動により回転する。ノズルは、前記掃除洗浄ブラシユニット後区部内における拭取洗浄用吸水性回転ブラシの上方に設置される。
前記ノズルは、前記拭取洗浄用吸水性回転ブラシに向かって噴水することで、地面洗浄後に付着した前記拭取洗浄用吸水性回転ブラシでの微細な塵埃と汚れ物をリンスして除去する。
また、吸水ドクターブレードは、前記掃除洗浄ブラシユニット後区部内の他側の面に設置される。前記吸水ドクターブレードは、前記拭取洗浄用吸水性回転ブラシを深く押すことで、リンスした前記拭取洗浄用吸水性回転ブラシでの汚水の微細な塵埃を吸引することができる。これにより、前記拭取洗浄用吸水性回転ブラシを、清潔及び湿潤な状態で、引き続いて地面又はカーペットの汚れ物及び汚れを繰り返して除去できる状態に維持される。前記吸水ドクターブレードの両端にクッション素子を設けている。
前記クッション素子は、スプリング又はその他の同等機能を有する構造であればよい。ただし、前記クッション素子は、本考案の重要な素子でないから、ここではその詳細な説明を省略する。前記拭取洗浄用吸水性回転ブラシを回転する際に、前記クッション素子の使用で、前記吸水ドクターブレードと前記拭取洗浄用吸水性回転ブラシの間の密接度を調整することができる。これにより、前記拭取洗浄用吸水性回転ブラシを順調に回転することができるだけでなく、水収集の機能を発揮することも可能になる。
本体の下方には、二つの伝動ローラー及び方向転換ローラーを設けている。コンピュータにより、前記二つの伝動ローラーの回転速度を制御する。また、前記伝動ローラーが作動するにつれて前記本体が前進する。並びに、前記伝動ローラーの回転速度の制御及び方向転換ローラーにより、前記本体の行進方向を調整する。当然ながら、前記本体の行進、方向転換について、コンピュータでその行進及び伝動ローラーの回転速度を自動的に制御するが、前記制御のメカニズムは、本考案の重要な特定事項でないので、ここではその詳細な説明を省略する。
【００１３】
前記水収集処理部は、前記本体に設置される水貯蓄タンクを有する。また、前記水貯蓄タンクは、前記水貯蓄タンクを清水タンクと汚水タンクに区切りするための仕切り板を有する。前記清水タンクは、未だ使用しない清水を収容する。前記汚水タンクは、使用された汚水を収容する。噴水チャネルは、噴水駆動モータを介して前記ノズルと前記清水タンクを接続する。吸水チャネルは、前記吸水ドクターブレードと前記汚水タンクを接続する。更に、集塵室を有する。
噴水駆動モータは、前記本体に設置されると共に、未だ使用しない清水を噴水駆動モータで前記清水タンクから、前記噴水チャネルを介して前記ノズルにパンピングする。並びに、汚水タンクを真空にバキューミングする吸気駆動モータは、前記本体に設置されると共に、使用された汚水を前記吸水ドクターブレードから、前記吸水チャネルを介して前記汚水タンクに吸引し、並びに、ゴミ及び塵埃を前記吸力集塵室及び掃除洗浄ブラシユニット前区部のブラシで掃除して集塵室に収集する。
前記本体は、複数の移動ローラーを底部に設けている。更に、コンピュータでの計算及び感知器で前記本体を地面又はカーペット上に自在に移動する。
【００１４】
上述を纏めて言えば、本考案の電気洗浄装置によると、使用者は地面の掃除を容易に省力で迅速にすることができるだけでなく、地面上の微細な塵埃と汚れを洗浄できる他に、カーペットの塵埃を除去すると共に、カーペット表面での汚れを併せてクリーン洗浄することが可能になる。
上述の目的及びその他の目的を達成するため、本考案は、窓の洗浄に用いられる電気洗浄装置を更に提供する。前記電動掃除洗浄装置は、洗浄ブラシユニット及び水収集処理部を備える。
前記窓洗浄ブラシユニットは、洗浄ブラシユニット胴体を有する本体を備える。前記洗浄ブラシユニット胴体の開口部が前記窓へ向かって開いている。拭取洗浄用吸水性回転ブラシは、前記洗浄ブラシユニット胴体に設置される。前記拭取洗浄用吸水性回転ブラシは、洗浄ブラシユニット駆動モータの駆動により回転する。ノズルは前記洗浄ブラシユニット胴体内における拭取洗浄用吸水性回転ブラシの一側の面に設置される。前記ノズルは前記拭取洗浄用吸水性回転ブラシに向かって噴水することで、窓の洗浄で付着した前記拭取洗浄用吸水性回転ブラシでの汚れ物をリンスして除去する。吸水ドクターブレードは、前記洗浄ブラシユニット胴体内における拭取洗浄用吸水性回転ブラシの他側の面に設置される。
前記吸水ドクターブレードで前記拭取洗浄用吸水性回転ブラシを深く押すことで、リンスした前記拭取洗浄用吸水性回転ブラシでの汚水及び汚れ物を吸引することができると共に、これにより、前記拭取洗浄用吸水性回転ブラシが、清潔及び湿潤な状態で、引き続いて、窓ガラス上の汚れを繰り返して拭き取り洗浄できる状態に維持される。
【００１５】
前記水収集処理部は、コンテナを備えている。
清水タンクは、前記コンテナ内に設置されてもよく、未だ使用しない清水を収容する。
汚水タンクは、前記コンテナ内に設置されてもよく、使用された汚水を収容する。チューブ体の内部に、噴水チャネルと吸水チャネルを備えている。
前記噴水チャネルは、前記ノズルと前記清水タンクを接続する。
前記吸水チャネルは、前記吸水装置と前記汚水タンクを接続する。
噴水駆動モータは、前記コンテナに設置されると共に、未だ使用しない清水を前記清水タンクから、前記噴水チャネルを介して前記ノズルにパンピングする。
また、吸気駆動モータは、前記コンテナに設置されると共に、使用された汚水を前記吸水装置から、前記吸水チャネルを介して前記汚水タンクに吸引する。
上述の電気洗浄装置中において、前記コンテナは、更に複数の移動ローラーを底部に有している。
【図面の簡単な説明】
【００１６】
【図１】図１は、本考案に係る電動掃除洗浄装置の具体的実施例１を示した概念図である。
【図２】図２は、本考案に係る電動掃除洗浄装置の具体的実施例１の作動を示した図である。
【図３】図３は、本考案に係る電動掃除洗浄装置の具体的実施例１の作動を示した図である。
【図４】図４は、本考案に係る電動掃除洗浄装置の具体的実施例１の作動を示した図である。
【図５】図５は、本考案に係る拭取洗浄用吸水性回転ブラシ、ノズル及び吸水装置の相対位置を示した図である。
【図６】図６は、本考案に係る電動掃除洗浄装置におけるブラシユニットの取替えを示した概念図である。
【図７】図７は、本考案に係る電動掃除洗浄装置の具体的実施例２を示した概念図である。
【図８】図８は、本考案に係る電動掃除洗浄装置の具体実施例２を他の視角で示した図である。
【図９】図９は、本考案に係る電動掃除洗浄装置の具体的実施例２の作動を示した図である。
【図１０】図１０は、本考案に係る電動掃除洗浄装置の具体的実施例２の作動を示した図である。
【図１１】図１１は、本考案に係る電動掃除洗浄装置の具体的実施例２の作動を示した図である。
【図１２】図１２は、本考案に係る電動掃除洗浄装置の具体的実施例を示す図である。
【図１３】図１３は、本考案に係る拭取洗浄用吸水性回転ブラシ、ノズル及び吸水装置の相対位置を表す図である。
【図１４】図１４は、本考案に係る電動掃除洗浄装置の具体的実施例の作動を示した図である。
【図１５】図１５は、本考案に係る電動掃除洗浄装置の具体的実施例の作動を示した図である。
【図１６】図１６は、本考案に係る電動掃除洗浄装置の具体的実施例の作動を示した図である。
【考案を実施するための形態】
【００１７】
以下、本考案の目的、特徴及び効果を十分に理解できるように、具体的実施例に基づいて、添付の図面を参照しながら、本考案の詳細について説明する。
【００１８】
まず、図１〜図４を参照しながら説明する。これらは、本考案に係る電動掃除洗浄装置の具体的実施例１である。
前記電動掃除洗浄装置１０００は、地面２（例えば、床又はカーペットなど）の掃除洗浄に用いられる。
前記電動掃除洗浄装置１０００は、掃除洗浄ブラシユニット１００ａ及び水収集処理部２００を含んでいる。
【００１９】
前記掃除洗浄ブラシユニット１００ａは、掃除洗浄ブラシユニット前区部１１１ａと、掃除洗浄ブラシユニット後区部１１２ａに区切りする仕切り板Ｓを有する本体１１０とを備えている。
前記掃除洗浄ブラシユニット前区部１１１ａの開口部、及び前記掃除洗浄ブラシユニット後区部１１２ａの開口部は、それぞれ前記地面２へ向かって開いている。
地面掃除用回転ブラシ１６０ａは、前記掃除洗浄ブラシユニット前区部１１１ａ内に設置される。また、掃除洗浄ブラシユニット駆動モータ１２１ａの駆動により、前記地面掃除用回転ブラシ１６０ａが回転する。
補助ローラー１７０は、前記本体１１０に設置されると共に、前記掃除洗浄ブラシユニット前区部１１１ａと、前記掃除洗浄ブラシユニット後区部１１２ａの間に位置する。
前記掃除洗浄ブラシユニット１１０の両端において、拭取洗浄用吸水性回転ブラシ１２０ａは前記掃除洗浄ブラシユニット後区部１１２ａ内に設置される。
前記掃除洗浄ブラシユニット駆動モータ１２１ａの駆動により、前記拭取洗浄用吸水性回転ブラシ１２０ａが回転する。
ノズル１３０は、前記掃除洗浄ブラシユニット後区部１１２ａ内における一側の面に設置される。
前記ノズル１３０は、前記拭取洗浄用吸水性回転ブラシ１２０ａに向かって噴水することで、地面又はカーペットの拭き取り洗浄で付着した前記拭取洗浄用吸水性回転ブラシ１２０ａ上の微細な塵埃及び汚れ物をリンスして除去することができる。これにより、前記拭取洗浄用吸水性回転ブラシ１２０ａが、清潔及び湿潤な状態で、引き続いて地面又はカーペット上の微細な塵埃及び汚れを繰り返して拭き取り洗浄できる状態に維持される。
更に、吸水ドクターブレード１４０は前記掃除洗浄ブラシユニット後区部１１２ａ内における他側の面に設置される。
前記吸水ドクターブレード１４０は、前記拭取洗浄用吸水性回転ブラシ１２０ａを深く押す。これにより、前記吸水ドクターブレード１４０が前記拭取洗浄用吸水性回転ブラシ１２０ａ上の汚水と微細な塵埃を吸い取った。前記吸水ドクターブレード１４０の両端には、クッション素子（図に示していない）を設置している。
前記クッション素子は、スプリング又はその他の同等効果を機能する構造であればよい。
前記クッション素子は、本考案の重要な特徴でないから、ここではその詳細な説明を省略する。
前記拭取洗浄用吸水性回転ブラシ１２０ａを回転する際に、前記クッション素子の使用で、前記吸水ドクターブレード１４０と前記拭取洗浄用吸水性回転ブラシ１２０ａの間の密接度を調整することができる。これにより、前記拭取洗浄用吸水性回転ブラシ１２０ａを順調に回転することができるだけでなく、水収集の機能を発揮することも可能になる。
【００２０】
前記水収集処理部２００は、コンテナ２１０と、前記コンテナ２１０内に設置されてもよく、未だ使用しない清水を収容する清水タンク２２０と、前記コンテナ２１０内に設置されてもよく、使用された汚水を収容する汚水タンク２３０と、その内部に噴水チャネル２４１、吸水チャネル２４２及び吸塵チャネル２４３とを設けているチューブ体２４０と、前記コンテナ２１０に設置されると共に、未だ使用しない清水を前記清水タンク２２０から、噴水駆動モータ２５０で、前記噴水チャネル２４１を介して前記ノズル１３０にパンピングする噴水駆動モータ２５０と、前記コンテナ２１０に設置されると共に、汚水タンクを真空にバキューミングすることで、使用された汚水を前記吸水ドクターブレード１４０から、前記吸水チャネル２４２を介して前記汚水タンク２３０に吸引しながら、ゴミ及び塵埃を前記掃除洗浄ブラシユニット前区部１１１ａから、前記吸塵チャネル２４３と前記吸水チャネル２４２を介して前記汚水タンク２３０に吸引する吸気駆動モータ２６０とを備えている。
前記噴水チャネル２４１は、前記ノズル１３０を介して噴水駆動モータ２５０と前記清水タンク２２０を接続しており、前記吸水チャネル２４２は前記吸水ドクターブレード１４０と前記汚水タンク２３０を接続しており、前記吸塵チャネル２４３は前記掃除洗浄ブラシユニット前区部１１１ａと前記吸水チャネル２４２を汚水タンク２３０に接続している。
【００２１】
使用者が前記電動掃除洗浄装置１０００を使用して前記地面２を掃除洗浄する場合、地面掃除用回転ブラシ１６０ａはブラシユニット駆動モータ１２１ａにより運転され、地面又はカーペット２を掃除開始すると同時に、拭取洗浄用吸水性回転ブラシ１２０ａもブラシユニット駆動モータ１２１ａで作動され、断続なく回転して前記地面又はカーペット２を拭き掃除し、また、前記ノズル１３０も、断続なく前記拭取洗浄用吸水性回転ブラシ１２０ａに対して未だ使用しない清水をスプレーして前記拭取洗浄用吸水性回転ブラシ１２０ａをリンスして洗浄し、並びに、前記吸水ドクターブレード１４０も断続なく前記拭取洗浄用吸水性回転ブラシ１２０ａ上に塵埃又は汚れ物を含有する汚水を汚水タンクに吸引する。
このような設計により、前記拭取洗浄用吸水性回転ブラシ１２０ａが、清潔及び湿潤な状態に維持されるので、前記地面又はカーペット２を繰り返して洗浄することが可能になる。
【００２２】
図１〜図４を再度参照する。使用者が前記掃除洗浄ブラシユニット１００ａを使用して、前記地面又はカーペット２の前後左右を洗浄する。
まず、前記地面掃除用回転ブラシ１６０ａは、先に、塵埃、ゴミ又は毛髮の大部分を前記掃除洗浄ブラシユニット前区部１１１ａ内に拭き取り掃除した。これらの塵埃、ゴミ又は毛髮は、前記吸気駆動モータ２６０が汚水タンクを真空にバキューミングする作動により、前記吸塵チャネル２４３に吸引されて前記吸水チャネル２４２に入れた後、汚水と混合して前記汚水タンク２３０にて収集された。
また、前記拭取洗浄用吸水性回転ブラシ１２０ａは、前記地面又はカーペット２上に残っていた、未だ前記地面掃除用回転ブラシ１６０ａで除去されない塵埃又は汚れを併せて拭き取る。
また、前記噴水駆動モータ２５０加圧輸送により、前記清水タンク２２０内に貯蓄される清水を、前記噴水チャネル２４１を介して前記ノズル１３０からスプレーアウトして、前記拭取洗浄用吸水性回転ブラシ１２０ａをリンスすることで、地面の掃除洗浄で付着した前記拭取洗浄用吸水性回転ブラシ１２０ａでの塵埃又は汚れ物を洗浄する。
最後に、前記吸気駆動モータ２６０のバキューミング作動により、前記拭取洗浄用吸水性回転ブラシ１２０ａ上の塵埃又は汚れ物を含有する汚水を前記吸水ドクターブレード１４０で拭き取り、前記吸水チャネル２４２を介して前記汚水タンク２３０に収集される。
【００２３】
使用者が地面又はカーペットの掃除洗浄のために、前記電動掃除洗浄装置１０００を使用する前には、前記清水タンク２２０を取外して清水を注入することができる。清水が使い切られた時に汚水が前記汚水タンク２３０に充満するうちに、使用者が前記汚水タンク２３０を取外して前記汚水タンク２３０内の汚水及びゴミを取り出すことができる。上述の設計により、前記地面掃除用回転ブラシ１６０ａは断続なく地面又はカーペットを掃除することができ、前記拭取洗浄用吸水性回転ブラシ１２０ａは、引き続いて清潔に維持することができ、また、使用者が前記地面又はカーペット２を洗浄することができる。しかも、前記コンテナ２１０は、更に複数の移動ローラー２７０を底部に有する。前記移動ローラー２７０により、使用者にとって、前記電動掃除洗浄装置１０００の水収集処理部２００を移動し易くなる。
【００２４】
図５の例示のように、前記ノズル１３０は、前記拭取洗浄用吸水性回転ブラシ１２０ａの一側の面に位置され、前記吸水ドクターブレード１４０は前記拭取洗浄用吸水性回転ブラシ１２０ａの他側の面に位置される。このような設計により、前記拭取洗浄用吸水性回転ブラシ１２０ａがより良い効率で洗浄することができる。また、前記吸水ドクターブレード１４０により、前記拭取洗浄用吸水性回転ブラシ１２０ａでの汚水を拭き取って吸出すことができる。
【００２５】
図６を参照する。図６は、本考案に係る電動掃除洗浄装置におけるブラシユニットの取替えを示した概念図である。前記電動掃除洗浄装置１０００の設計において、使用者が、必要に応じて変更することにより、前記洗浄ブラシユニット１００又は前記掃除洗浄ブラシユニット１００ａを前記チューブ体２４０に連接すると共に、水収集処理部２００と互いに連接することができる。
【００２６】
上述を纏めて言えば、本考案に係る電動掃除洗浄装置は、上述の設計により、地面の掃除機能、塵埃と地面の拭き取り機能を兼備しているので、掃除時間を有効に短くすることができる。また、前記拭取洗浄用吸水性回転ブラシが清潔で湿潤な状態に随時維持するので、使用者にとっては、容易に省力で迅速に地面又はカーペット上のゴミ及び塵埃を掃除洗浄することができる。
更に、使用者が一つの多用途機器を使用すると、地面掃除、地面洗浄を一回の操作で完了するか、又はカーペット掃除、カーペット洗浄を一回の操作で完了することができるようになり、単一機能を有する地面掃除機、地面洗浄機、塵埃拭き取り機、又はカーペット洗浄機のような設備を複数購入することがないので、省時で省力並びにコスト低くすることができる。
また、本考案によれば、操作の際に汚水が地面に落下されないので、環境衛生を保護できるだけでなく、塵埃を残っていなく地面を掃除洗浄することが可能になり、また、カーペットの掃除洗浄の際においてもカーペットを湿気のない乾燥状態に維持できるので、臭いにおいを発生しなくすることができると共に、カーペットの使用寿命を延ばすことも可能になる。
【００２７】
次に、図７〜図１１を参照する。これらは、本考案に係る電動掃除洗浄装置の具体的実施例２を示した図である。
前記電動掃除洗浄装置２０００は、地面又はカーペット２の掃除洗浄に用いられる。前記電動掃除洗浄装置２０００の設計は、前記電動掃除洗浄装置１０００の設計とほぼ同様である。
前記電動掃除洗浄装置２０００は、前記電動掃除洗浄装置１０００の掃除洗浄ブラシユニット１００ａと、水収集処理部２００とを整合して前記電動掃除洗浄装置２０００の本体１１０上に設けている。
前記電動掃除洗浄装置２０００は、本体１１０、掃除洗浄ブラシユニット、集塵室１８０、噴水処理構造、水収集処理部、及び複数の移動ローラー２７０を含んでいる。前記移動ローラー２７０は前記本体１１０の底部に設置されている。
【００２８】
前記掃除洗浄ブラシユニットは、前記本体１１０の底部の中央に設置される。また、前記掃除洗浄ブラシユニットは、前記本体１１０に設置される掃除洗浄ブラシユニット前区部１１１ａを有する。前記掃除洗浄ブラシユニット前区部１１１ａの開口部が前記地面２及び集塵室口１８０へ向かって開いている。掃除洗浄ブラシユニット後区部１１２ａは前記本体１１０に設置されている。
また、前記掃除洗浄ブラシユニット後区部１１２ａの開口部が、前記地面２へ向かって開いている。
地面掃除用回転ブラシ１６０ａは、前記掃除洗浄ブラシユニット前区部１１１ａ内に設置されている。
前記地面掃除用回転ブラシ１６０ａ及び拭取洗浄用吸水性回転ブラシ１２０ａは、掃除洗浄ブラシユニット駆動モータ１２１ａの駆動により回転する。
集塵室１８０は、前記本体１１０に設置されている。
また、前記集塵室１８０は、地面掃除用回転ブラシ１６０ａで拭き取ったゴミ及び塵垢を前記集塵室１８０内に収集し、これにより、掃除作業を完了する。
拭取洗浄用吸水性回転ブラシ１２０ａは、前記掃除洗浄ブラシユニット後区部１１２ａ内に設置されている。
前記拭取洗浄用吸水性回転ブラシ１２０ａは、前記掃除洗浄ブラシユニット駆動モータ１２１ａの駆動により回転する。
ノズル１３０は、前記掃除洗浄ブラシユニット後区部１１２ａ内における拭取洗浄用吸水性回転ブラシ１２０ａの上方に設置されている。
前記ノズル１３０が、前記拭取洗浄用吸水性回転ブラシ１２０ａに向かって噴水することで、地面又はカーペットの洗浄により付着した前記拭取洗浄用吸水性回転ブラシ１２０ａでの微細な塵埃と汚れ物をリンスして除去する。これにより、前記拭取洗浄用吸水性回転ブラシ１２０ａが、清潔及び湿潤な状態で、引き続いて地面上の微細な塵埃及び汚れを繰り返して除去できる状態に維持される。
吸水ドクターブレード１４０は、前記掃除洗浄ブラシユニット後区部１１２ａ内に設置されると共に、拭取洗浄用吸水性回転ブラシ１２０ａの一側の面に密接している。
また、前記吸水ドクターブレード１４０が、前記拭取洗浄用吸水性回転ブラシ１２０ａの表面を深く押すことにより、前記吸水ドクターブレード１４０を、前記拭取洗浄用吸水性回転ブラシ１２０ａでの汚水と微細な塵埃を吸引させる。
前記吸水ドクターブレード１４０の両端に、クッション素子（図示を省略している）を設置して有している。
前記クッション素子は、スプリング又はその他の同等の構造を有する。前記拭取洗浄用吸水性回転ブラシ１２０ａを回転する際に、前記クッション素子により、前記吸水ドクターブレード１４０と、前記拭取洗浄用吸水性回転ブラシ１２０ａの間の密接度を調整して、前記拭取洗浄用吸水性回転ブラシ１２０ａの集水機能を発揮することができる。
更に、前記本体１１０の下方に２つの伝動ローラー２７０を設置している。コンピュータで２つの伝動ローラー２７０回転速度を制御する。なお更に、方向を調整できる方向転換ローラー２７０ａを設けている。前記ローラー２７０が作動するにつれて前記本体１１０が行進する。並びに、前記方向転換ローラー２７０ａ及び伝動ローラー２７０の回転速度により、前記本体１１０の走行方向を調整する。当然ながら、前記本体１１０の行進、方向転換について、コンピュータでその行進及び伝動ローラー２７０の回転速度を自動的に制御する。前記制御のメカニズムは、本考案の重要な特定事項でないので、ここではその詳細な説明を省略する。
【００２９】
前記水収集処理部は、前記本体１１０に設置される水貯蓄タンク２８０を備える。また、前記水貯蓄タンク２８０に、仕切り板２８１を有する。これによって、前記水貯蓄タンク２８０を清水タンク２８２と汚水タンク２８３に区切りする。
前記清水タンク２８２は、未だ使用しない清水（即ち、清水３）を収容する。
前記汚水タンク２８３は、使用された汚水（即ち、汚水４）を収容する。
噴水チャネル２４１は、噴水駆動モータを介してノズル１３０と前記清水タンク２８２を接続する。
吸水チャネル２４２は、前記吸水ドクターブレード１４０を介して前記汚水タンク２８３に接続する。
吸塵チャネル２４３は、前記集塵室１８０と前記吸水チャネル２４２を接続する。
噴水駆動モータは、前記本体１１０に設置される。これによって、未だ使用しない清水を前記清水タンク２８２から、前記噴水チャネル２４１を介して前記ノズル１３０にパンピングする。
また、吸気駆動モータは汚水タンク２８３を真空にバキューミングするために、前記本体１１０に設置される。これによって、使用された汚水を前記吸水ドクターブレード１４０から、前記吸水チャネル２４２を介して前記汚水タンク２８３に吸引すると共に、前記吸塵チャネル２４３と前記吸水チャネル２４２を介して、塵埃を前記汚水タンク２８３に吸引する。
【００３０】
前記電動掃除洗浄装置２０００は、自動的に前記地面又はカーペット２を掃除洗浄する。掃除洗浄ブラシユニット前区部内における地面掃除用回転ブラシは回転しながら、前記地面又はカーペット２のゴミを拭き取って除去すると同時に、前記掃除洗浄ブラシユニット内における拭取洗浄用吸水性回転ブラシ１２０ａは、断続なく回転しながら、前記地面又はカーペット２を拭き取って洗浄する。
また、それと同時に、前記ノズル１３０は、前記拭取洗浄用吸水性回転ブラシ１２０ａに向かって噴水しながら、拭き取り洗浄後に付着した前記拭取洗浄用吸水性回転ブラシ１２０ａでの微細な塵埃と汚れ物をリンスして除去する。これにより、前記拭取洗浄用吸水性回転ブラシ１２０ａが、清潔及び湿潤な状態で、引き続いて地面の微細な塵埃及び汚れを繰り返して吸着できる状態に維持される。
前記吸水ドクターブレード１４０は、前記拭取洗浄用吸水性回転ブラシ１２０ａ表面を深く押すことで、地面又はカーペットの拭き取り洗浄後に付着した前記拭取洗浄用吸水性回転ブラシ１２０ａでの汚れ物及び汚水を汚水タンク２８３に吸引する。換言すれば、前記吸水ドクターブレード１４０は、断続なく前記拭取洗浄用吸水性回転ブラシ１２０ａ上に塵埃又は汚れ物を含有した汚水（即ち、汚水４）を吸い出す。このような設計により、前記拭取洗浄用吸水性回転ブラシ１２０ａが清潔に随時維持されるので、前記地面又はカーペット２を繰り返して洗浄することができる。
【００３１】
前記電動掃除洗浄装置２０００の作動原理は、前記電動掃除洗浄装置１０００の作動原理とほぼ同様である。
前記地面掃除用回転ブラシ１６０ａは、先に塵埃又は毛髮の大部分を拭き取って、前記集塵室１８０内に収集する。フィルタで濾過した後、前記吸気駆動モータの作動により、少量の塵埃が前記吸塵チャネル２４３中に吸引された。地面掃除用回転ブラシ１６０ａが回転しながら地面又はカーペット上のゴミを掃除すると同時に、前記拭取洗浄用吸水性回転ブラシ１２０ａが回転しながら、未だ、前記地面掃除用回転ブラシ１６０ａで除去されていない前記地面又はカーペット２上の塵埃又は汚れを拭き取り洗浄する。
また、吸水チャネル２４２、２４３を介して前記汚水タンク２８３に貯蓄し、前記清水タンク２８２内に収集する清水３を前記噴水駆動モータでパンピングして、前記噴水チャネル２４１を介して前記ノズル１３０から前記拭取洗浄用吸水性回転ブラシ１２０ａ上に噴水しながら、前記拭取洗浄用吸水性回転ブラシ１２０ａ上の微細な塵埃と汚れ物をリンスして除去する。
また、これにより、前記拭取洗浄用吸水性回転ブラシ１２０ａが、清潔及び湿潤な状態で、引き続いて地面又はカーペット上の微細な塵埃及び汚れを繰り返して除去できる状態に維持される。前記吸水ドクターブレード１４０は、前記拭取洗浄用吸水性回転ブラシ１２０ａ表面を深く押すことで、前記拭取洗浄用吸水性回転ブラシ１２０ａ表面から、拭き取り洗浄の過程にて付着した汚れと汚水を吸い取ると共に、前記拭取洗浄用吸水性回転ブラシ１２０ａ上の塵埃又は汚れ物を洗浄する。
前記吸気駆動モータの作動により、汚水タンク２８３が真空にバキューミングされ、吸水ドクターブレード１４０の使用により、前記拭取洗浄用吸水性回転ブラシ１２０ａ上の塵埃又は汚れ物を含有した汚水４が、前記吸水チャネル２４２中に吸引される。これらの汚水４が前記汚水タンク２８３に収集される。
【００３２】
図７〜図１１に示すように、前記電動掃除洗浄装置２０００において、ノズル１３０と吸水ドクターブレード１４０が断続なく作動した後において、使用者は、前記汚水タンク２８３から汚水４を取り去る。また、前記清水３を前記清水タンク２８２に注入することができる。上述の設計により、使用者は、地面掃除と地面洗浄を一回の操作で一緒に完了させることができる。その他、前記拭取洗浄用吸水性回転ブラシは清潔な状態に維持されるので、前記地面又はカーペット２を繰り返して洗浄することができる。
上述を纏めて言えば、本考案に係る電動掃除洗浄装置は、上述の設計により、地面の掃除機能、塵埃と地面又はカーペットの拭き取り機能を兼備しているので、掃除時間を有効に短くすることができる。また、前記拭取洗浄用吸水性回転ブラシが断続なくリンス及び汚水の取り去りを受けていて、湿潤な状態に維持することができる。更に、汚水も地面に落下されないので、地面上の汚水を乾燥することが不可能と言う問題がなくなる。従って、使用者が、一層容易に省力で迅速に地面又はカーペットを掃除洗浄することが可能になる。また、一つの機器が多用途に使用することができるので、省時、省力、コストの低減、及びコンパクト化を図ることができる。
【００３３】
図１２〜図１６を参照する。これらは本考案に係る電動掃除洗浄装置の具体的実施例３を示した図である。
前記電動掃除洗浄装置３０００は、窓１の洗浄に用いられる。前記電動掃除洗浄装置３０００は、洗浄ブラシユニット１００と水収集処理部２００とを備えている。
前記洗浄ブラシユニット１００は、洗浄ブラシユニット胴体１１１を有する本体１１０を備える。
前記洗浄ブラシユニット胴体１１１は、図１３に示したように、開口部が前記窓１へ向かって開いている。
拭取洗浄用吸水性回転ブラシ１２０は、前記洗浄ブラシユニット胴体１１１内に設置される。
前記拭取洗浄用吸水性回転ブラシ１２０は、洗浄ブラシユニット駆動モータ１２１の駆動により回転する。
ノズル１３０は、前記洗浄ブラシユニット胴体１１１内に設置される。前記ノズル１３０が前記拭取洗浄用吸水性回転ブラシ１２０に向かって噴水することにより、窓ガラスの洗浄後に付着した前記拭取洗浄用吸水性回転ブラシ１２０表面での微細な塵埃と汚水をリンスして除去することができる。これにより、前記拭取洗浄用吸水性回転ブラシ１２０が、清潔及び湿潤な状態で、引き続いて窓の上の微細な塵埃及び汚水を繰り返して吸着できる状態に維持される。
吸水ドクターブレード１４０は、前記洗浄ブラシユニット胴体１１１内に設置される。また、前記吸水ドクターブレード１４０が前記拭取洗浄用吸水性回転ブラシ１２０の表面を深く押すので、前記吸水ドクターブレード１４０は前記拭取洗浄用吸水性回転ブラシ１２０ａ上の微細な塵埃と汚水を吸着することができる。
前記吸水ドクターブレード１４０の両端には、クッション素子（図に示していない）を設けている。
前記クッション素子は、スプリング又はその他の同等効果を機能する構造であればよい。前記拭取洗浄用吸水性回転ブラシ１２０が回転する際に、前記クッション素子により前記吸水ドクターブレード１４０と前記拭取洗浄用吸水性回転ブラシ１２０の間の密接度を調整することができる。これにより、前記拭取洗浄用吸水性回転ブラシ１２０を順調に回転することができるだけでなく、水収集機能を発揮することもできる。
【００３４】
また、刮水ドクターブレード１５０は、前記洗浄ブラシユニット胴体１１１の開口部の一側に設置されている。前記刮水ドクターブレード１５０は、前記洗浄ブラシユニット胴体１１１の開口部の上方に設置されている。
前記水収集処理部２００は、コンテナ２１０を備えている。
清水タンク２２０は、未だ使用しない清水を収容するものであり、分離可能にするように前記コンテナ２１０内に設置されている。
汚水タンク２３０は、使用された汚水を収容するものであり、分離可能にするように前記コンテナ２１０内に設置されている。
チューブ体２４０の内部に、噴水チャネル２４１と吸水チャネル２４２を設けている。
前記噴水チャネル２４１は、前記ノズル１３０と前記清水タンク２２０を接続する。
前記吸水チャネル２４２は、前記吸水ドクターブレード１４０と前記汚水タンク２３０を接続する。
噴水駆動モータ２５０は、前記コンテナ２１０に設置される。
未だ使用しない清水が、前記噴水チャネル２４１によって前記清水タンク２２０から前記ノズル１３０にパンピングされる。
吸気駆動モータ２６０は、前記コンテナ２１０に設置されると共に、汚水タンクを真空にバキューミングすることにより、使用された汚水を前記吸水ドクターブレード１４０から、前記吸水チャネル２４２を介して前記汚水タンク２３０に吸引する。
前記コンテナ２１０は、更に複数の移動ローラー２７０を底部に設けている。前記移動ローラー２７０により、使用者は、前記電気洗浄装置１０００の水収集処理部２００を容易に移動させることができる。
【００３５】
使用者が、前記電気洗浄装置３０００を使用して前記窓１を洗浄する際には、前記洗浄ブラシユニット１００における拭取洗浄用吸水性回転ブラシ１２０は、洗浄ブラシユニット駆動モータ１２１の作動により断続なく回転しながら前記窓１を拭いてクリーニングする。
前記ノズル１３０は、前記拭取洗浄用吸水性回転ブラシ１２０に向かって断続なく噴水することで、窓ガラスの洗浄後に付着した前記拭取洗浄用吸水性回転ブラシ１２０上の微細な塵埃と汚水をリンスして除去する。これにより、前記拭取洗浄用吸水性回転ブラシ１２０が、清潔及び湿潤な状態で、引き続いて窓の上の微細な塵埃と汚れを繰り返して吸着できる状態に維持される。
前記吸水ドクターブレード１４０が、前記拭取洗浄用吸水性回転ブラシ１２０を深く押すことで、汚水及び微細な塵埃を吸着すると共に、断続なく窓の拭き取り洗浄の過程に付着した前記拭取洗浄用吸水性回転ブラシ１２０上の汚れ物及び汚水を汚水タンク２３０に吸引する。このような設計により、前記拭取洗浄用吸水性回転ブラシ１２０が、いつも清潔な状態に維持されるので、前記窓１を繰り返してクリーニングすることができる。
【００３６】
次いで、図１２〜図１６を参照する。使用者が前記洗浄ブラシユニット１００を使用して前記窓１を上下に洗浄する。
前記拭取洗浄用吸水性回転ブラシ１２０が前記窓１を洗浄すると同時に、前記清水タンク２２０内に貯蓄された清水が前記噴水駆動モータ２５０で加圧輸送され、前記噴水チャネル２４１を介して、前記ノズル１３０から前記拭取洗浄用吸水性回転ブラシ１２０上にスプレーされ、これにより、拭き取り洗浄後に付着した前記拭取洗浄用吸水性回転ブラシ１２０での塵埃又は汚れ物を洗浄する。
次に、前記吸気駆動モータ２６０が汚水タンク２３０を真空にバキューミングする作動により、前記吸水ドクターブレード１４０が前記拭取洗浄用吸水性回転ブラシ１２０上の塵埃又は汚れ物を含有する汚水を前記吸水チャネル２４２中に吸引して、前記汚水タンク２３０に收集する。その他、前記刮水ドクターブレード１５０により、前記窓１に残っている水分を取り去った後、拭き取りローラーブラシでその水を吸着する。
【００３７】
但し、使用者が前記電動掃除洗浄装置３０００を使用する前には、先に、前記清水タンク２２０を取り外して清水（即ち、未だ使用しない清水）を注入することができる。
汚水（即ち、使用された清水を含む）が前記汚水タンク２３０に保存された場合に、使用者は、前記汚水タンク２３０を取り外して汚水を前記汚水タンク２３０から取り出すことができる。上述の設計により、前記窓１を洗浄する際には、使用者は直接窓を清水でリンスするか、又は洗浄後に更に雑巾でガラスを拭くことが不要になる。
また、前記拭取洗浄用吸水性回転ブラシ１２０が、いつも清潔な状態に維持されるので、洗浄ブラシユニット駆動モータ１２１の作動に伴って前記窓１を繰り返して洗浄することができる（図１３参照）。
前記ノズル１３０は、前記拭取洗浄用吸水性回転ブラシ１２０の一側の面に設置される。
また、前記吸水ドクターブレード１４０は、前記拭取洗浄用吸水性回転ブラシ１２０の他側の面に設置される。このような設計により、より良い効率で前記拭取洗浄用吸水性回転ブラシ１２０をクリーニングすることができる。
更に、前記吸水ドクターブレード１４０によっても前記拭取洗浄用吸水性回転ブラシ１２０での汚水を除去して吸着することができる。
【００３８】
上述を纏めて言えば、本考案に係る電気洗浄装置のように前記ノズル、前記吸水ドクターブレード、前記清水タンク、前記汚水タンク及び前記チューブ体を備える設計によると、前記拭取洗浄用吸水性回転ブラシをいつも清潔な状態に維持することができる。
また、使用者が窓を洗浄する際に、直接窓を清水でスプレーするか、又は断続なく清洗して更に雑巾でガラスを拭くことが不要になるので、洗浄にかかる時間を有効に短くすることが可能になり、更に、汚水が地面に落下しなく掃除やクリーニングをすることも可能になる。本考案は環境の保護に有利な創作である。
【符号の説明】
【００３９】
１      窓
２      地面又はカーペット
３      清水
４      汚水
１００      洗浄ブラシユニット
１００ａ    掃除洗浄ブラシユニット
１１０      本体
１１１      洗浄ブラシユニット胴体
１１１ａ    掃除洗浄ブラシユニット前区部
１１２ａ    掃除洗浄ブラシユニット後区部
１２０      拭取洗浄用吸水性回転ブラシ
１２０ａ    拭取洗浄用吸水性回転ブラシ
１２１      洗浄ブラシユニット駆動モータ
１２１ａ    掃除洗浄ブラシユニット駆動モータ
１３０      ノズル
１４０      吸水ドクターブレード
１５０      刮水ドクターブレード
１６０ａ    地面掃除用回転ブラシ
１７０      補助ローラー
１８０      集塵室
２００      水収集処理部
２１０      コンテナ
２２０      清水タンク
２３０      汚水タンク
２４０      チューブ体
２４１      噴水チャネル
２４２      吸水チャネル
２４３      吸塵チャネル
２５０      噴水駆動モータ
２６０      吸気駆動モータ
２７０      移動ローラー
２８０      水貯蓄タンク
２８１      分仕切り板
２８２      清水タンク
２８３      汚水タンク
１０００〜３０００      電動掃除洗浄装置
Ｓ      仕切り板
【図１】
0003186168.tif 000003
【図２】
0003186168.tif 000004
【図３】
0003186168.tif 000005
【図４】
0003186168.tif 000006
【図５】
0003186168.tif 000007
【図６】
0003186168.tif 000008
【図７】
0003186168.tif 000009
【図８】
0003186168.tif 000010
【図９】
0003186168.tif 000011
【図１０】
0003186168.tif 000012
【図１１】
0003186168.tif 000013
【図１２】
0003186168.tif 000014
【図１３】
0003186168.tif 000015
【図１４】
0003186168.tif 000016
【図１５】
0003186168.tif 000017
【図１６】
0003186168.tif 000018